(57)【要約】【課題】モアレが発生し難く、変倍処理後も高精度な色判定を行うことができ、コード抽出が高精度に行えるようにする。【解決手段】カラースキャナ等で取得したＲＧＢカラー画像に対して変倍部１１で変倍処理する場合、ユーザは変倍率設定部１６に任意の変倍率を設定しておく。変倍部１１は、設定された変倍率に基づいて変倍処理を行い、黒文字判定部１２で黒文字部の判定が行われる。メモリ蓄積部１３は、変倍処理された画像データと黒文字判定結果とを蓄積保管する。色補正／ＵＣＲ部１５は、黒文字判定結果を使って黒文字部をＫ単色、あるいは、概ねＫ単色に再生したＣＭＹＫ画像をプリンタなどに出力し、黒文字部をＫ単色で再生することで、色ずれ発生時にも黒文字周囲の色つきが抑制でき、高画質の出力画像が得られる。【選択図】      図１
2004253874.tif 000002
【特許請求の範囲】
【請求項１】
カラー画像信号に対して変倍処理を行う変倍手段を備え、
前記変倍手段は、変倍処理後のカラー画像信号に所定の色情報を保持させることを特徴とするカラー画像処理装置。
【請求項２】
前記変倍手段が変倍処理後に保持させる所定の色情報は、複数色成分信号の比であることを特徴とする請求項１に記載のカラー画像処理装置。
【請求項３】
前記変倍手段は、
複数色成分信号で表されたカラー画像信号のうち、少なくとも１信号に対して変倍処理を行う第１の変倍手段と、
前記第１の変倍手段で変倍処理されなかった少なくとも１信号に対して変倍処理を行う第２の変倍手段と、
を備え、前記第２の変倍手段は、変倍前の画像信号および前記第１の変倍手段による変倍後の画像信号を参照して変倍処理を行うことを特徴とする請求項２に記載のカラー画像処理装置。
【請求項４】
前記変倍手段が変倍処理後に保持させる所定の色情報は、少なくとも色差情報を含んでいることを特徴とする請求項１に記載のカラー画像処理装置。
【請求項５】
前記変倍手段は、輝度信号と色差信号とで表されたカラー画像信号に対して変倍処理を行うもので、
輝度信号に対して変倍処理を行う輝度信号変倍手段と、
色差信号に対して変倍処理を行う色差信号変倍手段と、
を備え、前記輝度信号変倍手段と前記色差信号変倍手段とで変倍処理を異ならせたことを特徴とする請求項４に記載のカラー画像処理装置。
【請求項６】
前記色差信号変倍手段は、変倍処理時における参照画素領域を前記輝度信号変倍手段よりも狭くしたことを特徴とする請求項５に記載のカラー画像処理装置。
【請求項７】
前記輝度信号変倍手段と前記色差信号変倍手段は、いずれも周辺画素値に重みパラメータを加重して変倍処理を行うもので、
前記輝度信号変倍手段と前記色差信号変倍手段とで重みパラメータが異なるようにしたことを特徴とする請求項５に記載のカラー画像処理装置。
【請求項８】
前記変倍手段は、２次元の変倍処理を行うもので、
画像の縦と横の各方向で変倍処理を異ならせたことを特徴とする請求項１に記載のカラー画像処理装置。
【請求項９】
画像の特徴を表すコード情報が埋め込まれたカラー画像信号に対して変倍処理を行う変倍手段を備え、
前記変倍手段による変倍処理後も前記コード情報を保持させることを特徴とするカラー画像処理装置。
【請求項１０】
前記コード情報は、所定の色成分を有する色情報としてカラー画像信号に埋め込まれていることを特徴とする請求項９に記載のカラー画像処理装置。
【請求項１１】
前記コード情報は、カラー画像信号の複数色成分のうち少なくとも１信号が画像の特徴を表すコード信号用として割り当てられ、埋め込まれていることを特徴とする請求項９に記載のカラー画像処理装置。
【請求項１２】
前記コード情報を認識するコード情報認識手段をさらに備え、
前記コード情報認識手段の認識結果に応じて前記変倍手段を制御することを特徴とする請求項９に記載のカラー画像処理装置。
【請求項１３】
カラー画像信号中の所定の特徴を有する領域の判定を行う像域分離手段と、
前記像域分離手段により所定の特徴を有すると判定された領域に対してコード情報を埋め込むコード情報埋め込み手段と、
をさらに備え、前記像域分離手段の像域分離結果に応じて前記変倍手段を制御することを特徴とする請求項９に記載のカラー画像処理装置。
【請求項１４】
カラー画像信号中で所定の特徴を有する領域画素の場合は、前記変倍手段による変倍処理後も埋め込まれているコード情報を保持するように選択処理を行う第１の選択手段と、カラー画像信号中で所定の特徴を有しない領域画素の場合は、前記変倍手段による変倍処理によってコード情報を有する画素に変換されないように選択処理を行う第２の選択手段とをさらに備えたことを特徴とする請求項９に記載のカラー画像処理装置。
【請求項１５】
カラー画像信号に対して変倍処理を行う変倍ステップを含み、
前記変倍ステップは、変倍処理後のカラー画像信号に所定の色情報を保持させることを特徴とするカラー画像処理方法。
【請求項１６】
前記変倍ステップによって変倍処理後に保持させる所定の色情報は、複数色成分信号の比であることを特徴とする請求項１５に記載のカラー画像処理方法。
【請求項１７】
前記変倍ステップは、
複数色成分信号で表されたカラー画像信号のうち、少なくとも１信号に対して変倍処理を行う第１の変倍ステップと、
前記第１の変倍ステップで変倍処理されなかった少なくとも１信号に対して変倍処理を行う第２の変倍ステップと、
を含み、前記第２の変倍ステップは、変倍前の画像信号および前記第１の変倍ステップによる変倍後の画像信号を参照して変倍処理を行うことを特徴とする請求項１６に記載のカラー画像処理方法。
【請求項１８】
前記変倍ステップによって変倍処理後に保持させる所定の色情報は、少なくとも色差情報を含んでいることを特徴とする請求項１５に記載のカラー画像処理方法。
【請求項１９】
前記変倍ステップは、輝度信号と色差信号とで表されたカラー画像信号に対して変倍処理を行うもので、
輝度信号に対して変倍処理を行う輝度信号変倍ステップと、
色差信号に対して変倍処理を行う色差信号変倍ステップと、
を含み、前記輝度信号変倍ステップと前記色差信号変倍ステップとで変倍処理を異ならせたことを特徴とする請求項１８に記載のカラー画像処理方法。
【請求項２０】
前記色差信号変倍ステップは、変倍処理時における参照画素領域を前記輝度信号変倍ステップのときよりも狭くしたことを特徴とする請求項１９に記載のカラー画像処理方法。
【請求項２１】
前記輝度信号変倍ステップと前記色差信号変倍ステップは、いずれも周辺画素値に重みパラメータを加重して変倍処理を行うもので、
前記輝度信号変倍ステップと前記色差信号変倍ステップとで重みパラメータが異なるようにしたことを特徴とする請求項１９に記載のカラー画像処理方法。
【請求項２２】
前記変倍ステップは、２次元の変倍処理を行うもので、
画像の縦と横の各方向で変倍処理を異ならせたことを特徴とする請求項１５に記載のカラー画像処理方法。
【請求項２３】
画像の特徴を表すコード情報が埋め込まれたカラー画像信号に対して変倍処理を行う変倍ステップを含み、
前記変倍ステップによる変倍処理後も前記コード情報を保持させることを特徴とするカラー画像処理方法。
【請求項２４】
前記コード情報は、所定の色成分を有する色情報としてカラー画像信号に埋め込まれていることを特徴とする請求項２３に記載のカラー画像処理方法。
【請求項２５】
前記コード情報は、カラー画像信号の複数色成分のうち少なくとも１信号が画像の特徴を表すコード信号用として割り当てられ、埋め込まれていることを特徴とする請求項２３に記載のカラー画像処理方法。
【請求項２６】
前記コード情報を認識するコード情報認識ステップをさらに含み、
前記コード情報認識ステップによる認識結果に応じて前記変倍ステップにおける変倍処理を制御することを特徴とする請求項２３に記載のカラー画像処理方法。
【請求項２７】
カラー画像信号中の所定の特徴を有する領域の判定を行う像域分離ステップと、
前記像域分離ステップにより所定の特徴を有すると判定された領域に対してコード情報を埋め込むコード情報埋め込みステップと、
をさらに含み、前記像域分離ステップの像域分離結果に応じて前記変倍ステップにおける変倍処理を制御することを特徴とする請求項２３に記載のカラー画像処理方法。
【請求項２８】
カラー画像信号中で所定の特徴を有する領域画素の場合は、前記変倍ステップにより変倍処理した後も埋め込まれているコード情報を保持するように選択処理を行う第１の選択ステップと、カラー画像信号中で所定の特徴を有しない領域画素の場合は、前記変倍ステップによる変倍処理によってコード情報を有する画素に変換されないように選択処理を行う第２の選択ステップとをさらに含むことを特徴とする請求項２３に記載のカラー画像処理方法。
【発明の詳細な説明】
【０００１】
【発明の属する技術分野】
この発明は、カラー画像処理装置およびカラー画像処理方法に関し、より詳しくは、取得したカラー画像信号をユーザ指定などで設定した変倍率に応じて変倍処理を行うカラー画像処理装置およびカラー画像処理方法に関する。
【０００２】
【従来の技術】
従来のカラー複写機やカラーファクシミリなどのカラー画像処理装置は、オペレーションパネルなどを使ってユーザが変倍率、あるいは用紙指定変倍時に出力用紙サイズを指定することにより、拡大／縮小画像を作成出力する機能を備えている。
【０００３】
例えば、現流機の多くは、スキャナ入力時にラインセンサの線速を切り換えることにより、副走査方向の変倍処理（機械変倍処理）を行ったり、入力後のデジタル画像信号に対して信号処理を行うことにより、主走査方向の変倍処理（電気変倍処理）を行うという構成を採用している。
【０００４】
また、少数の機種では、主走査方向と副走査方向をともに電気変倍処理する機械、あるいは、副走査方向では機械変倍処理と電気変倍処理とを組み合わせて実行する機械などもある。なお、本明細書中では、説明を簡略化するため、特に断らない限りデジタル画像信号上では主走査方向の１次元変倍を行う前者の現流機の構成について説明するが、主走査方向と副走査方向の２次元変倍を行う後者の場合にも容易に適用が可能であることは言うまでもない。
【０００５】
さらに、上記のカラー画像信号に対する電気変倍方式としては、ニアリストネイバー法、線形補間法、および３次関数コンボリューション法などが公知である。ニアリストネイバー法は、内挿位置に最も近い位置にある変倍前画像の画素データを内挿する方法であり、線形補間法は、内挿位置の両側に位置する変倍前画像の画素データから、距離をパラメータとする線形計算により求めた値を内挿データとする方法であり、３次関数コンボリューション法は、内挿位置からそれぞれの入力データまでの距離をパラメータとするキュービック（Ｃｕｂｉｃ）関数値との積の和を内挿データとする方法である。
【０００６】
また、従来の公報例としては、画像データを変倍処理する前に色判定を伴った像域分離処理を行う画像処理システム（例えば、特許文献１参照）、画像データの変倍処理後に色判定を伴った像域分離処理を行う画像処理装置（例えば、特許文献２参照）、あるいは、画像データを変倍処理する際に、所定のコード情報（色情報に限らない）の保持が要求されると、像域分離により黒文字領域を検出して、その検出した黒文字領域に対してコード情報を表す無彩色信号（例えば、Ｌ＊ａ＊ｂ＊の場合はａ＊＝ｂ＊＝０）を画像上に埋め込んで、画像データと分離データとを融合した１枚の画像データをメモリに保管したり送受信した後、埋め込んだコード情報を画像データから抽出する画像処理装置（例えば、特許文献３参照）などがあった。
【０００７】
【特許文献１】
特開平８−１０２８１０号公報（第３−１８頁、図３）
【特許文献２】
特許第３１７６０５２号公報（第３−８頁、図２）
【特許文献３】
特開平８−９８０１６号公報（第３−５頁、図２）
【０００８】
【発明が解決しようとする課題】
しかしながら、このような従来のカラー画像処理装置において、上記のカラー画像信号に対する電気変倍方式として列挙したニアリストネイバー法や線形補間法は、演算が簡単で、参照領域が狭いというハード的なメリットはあるが、変倍処理することで網点部に強いモアレが発生するという問題があった。
【０００９】
そこで、モアレが発生し難い３次関数コンボリューション法を用いれば、高画質な変倍画像を求める場合に有効であるとされている。しかし、この像域分離の黒文字判定に代表される色判定装置にあっては、色判定と変倍の位置関係によって以下に述べるようなメリット・デメリットが発生することが指摘されている。
【００１０】
例えば、▲１▼変倍処理前に色判定を伴った像域分離を行う上記特許文献１に代表される画像処理装置などでは、画像データを拡大／縮小するのに合わせて、像域分離結果も拡大／縮小しなければならないという問題があった。
【００１１】
また、▲２▼変倍処理後に色判定を伴った像域分離を行う上記特許文献２に代表される画像処理装置などでは、拡大画像に対して色判定を行うことから、識別性能が著しく低下してしまうという問題があった。
【００１２】
例えば、図１２は、画像を変倍処理する際に画像の黒文字エッジ部で発生する色ずれ量を示した線図であり、（ａ）はスキャナ入力値と画素位置との関係を示す図、（ｂ）は拡大後データと画素位置との関係を示す比較例の図、（ｃ）は拡大後データと画素位置との関係を示す本発明の図である。図１２（ａ）に示すように、画像の黒文字エッジ部で色ずれ（色ずれ量＝Ｍとする）があった場合、図１２（ｂ）のように３次関数コンボリューション法で拡大変倍すると、色ずれ量が大幅に増加する（色ずれ量≫Ｍ×拡大率）。つまり、この黒文字エッジ部を黒色として判定するには、かなりの広領域を参照しなければならなくなる。また、黒文字エッジが細線である場合には、広領域を参照したとしても黒色として判定するのが困難となる。
【００１３】
そこで、図１２（ｃ）に示すように、拡大変倍による色ずれ量の増加が“色ずれ量≦Ｍ×拡大率”に抑えられるならば、拡大画像に対する色判定精度の著しい低下が無くなる上、像域分離結果の拡大／縮小を伴わず、かつ、高性能な色判定が可能な装置を実現することができ、前述した従来装置の夫々のメリットを生かした小型で高画質の装置を提供することができる。
【００１４】
また、上記した特許文献１および特許文献２のような装置において、コード情報を埋め込んだ画像に対して変倍処理を行えば、画像データとは別に像域分離結果に対して変倍処理を行う必要がなくなって、好都合となる。例えば、「コード埋め込み→変倍→コード抽出」の順序で処理する際に、コード情報の抽出を高精度に実現しようとすると、無彩色信号（ａ＊＝ｂ＊＝０）の情報を変倍後も保持するような変倍処理が必要になってくる。
【００１５】
例えば、図１３は、無彩色情報として黒文字を表すコード情報を画像中に埋め込んで縮小変倍を実施した場合の線図であり、（ａ）はスキャナ入力値と画素位置との関係を示す図、（ｂ）は縮小後データと画素位置との関係を示す比較例の図、（ｃ）は縮小後データと画素位置との関係を示す本発明の図である。図１３（ａ）に示すように、Ｒ＝Ｇ＝Ｂの無彩色情報として黒文字を表すコード情報をコード埋め込み幅＝Ｎで画像中に埋め込んだとする。これに対して、縮小変倍を実施すると、縮小率が大きい場合は、コード埋め込み幅≪Ｎ×縮小率となって、図１３（ｂ）に示すように、細線の場合はコード情報が無くなってしまうこともある。これは、出力画像上で細線に色付きが起こると、大きな画像劣化につながることになる。
【００１６】
そこで、図１３（ｃ）に示すように、コード埋め込み幅≧Ｎ×縮小率のコード情報が保存されるならば、縮小画像においても黒文字処理でコード情報が有効に働き、高画質な黒文字再生画像を確保することができる。
【００１７】
この発明は上記に鑑みてなされたもので、変倍処理後もＲＧＢ比や色差として表現される色情報を保持する変倍処理を実現し、変倍しても強いモアレの発生し難い変倍方式を用いることで、変倍率によらずに変倍処理後も高精度な色判定が行え、モアレによる画像の劣化を防止することを第１の目的とする。
【００１８】
また、この発明は、変倍後も画像中に埋め込まれた所定のコード情報を保持する変倍処理を実現することで、コード抽出を高精度化することを第２の目的とする。
【００１９】
【課題を解決するための手段】
上記目的を達成するため、請求項１にかかる発明は、カラー画像信号に対して変倍処理を行う変倍手段を備え、前記変倍手段は、変倍処理後のカラー画像信号に所定の色情報を保持させることを特徴とする。
【００２０】
この請求項１の発明によれば、変倍手段によってカラー画像信号を変倍処理する際に、変倍処理後のカラー画像信号に所定の色情報を保持するようにしたため、変倍処理後に色判定を行う場合でも高精度な色判定を実現することができる。
【００２１】
また、請求項２にかかる発明は、請求項１に記載のカラー画像処理装置において、前記変倍手段が変倍処理後に保持させる所定の色情報は、複数色成分信号の比であることを特徴とする。
【００２２】
この請求項２の発明によれば、変倍手段が変倍処理後に保持させる所定の色情報として、複数色成分信号の比を保持するようにしたため、変倍処理後に、例えばＲＧＢ比などが保存されることから、特に無彩色の色情報の保存効果を高くすることができる。
【００２３】
また、請求項３にかかる発明は、請求項２に記載のカラー画像処理装置において、前記変倍手段は、複数色成分信号で表されたカラー画像信号のうち、少なくとも１信号に対して変倍処理を行う第１の変倍手段と、前記第１の変倍手段で変倍処理されなかった少なくとも１信号に対して変倍処理を行う第２の変倍手段と、を備え、前記第２の変倍手段は、変倍前の画像信号および前記第１の変倍手段による変倍後の画像信号を参照して変倍処理を行うことを特徴とする。
【００２４】
この請求項３の発明によれば、変倍手段として、複数色成分信号で表されたカラー画像信号のうち、少なくとも１信号に対して変倍処理を行う第１の変倍手段と、第１の変倍手段で変倍処理されなかった少なくとも１信号に対して変倍処理を行う第２の変倍手段とを備え、第２の変倍手段は、変倍前の画像信号と第１の変倍手段による変倍後の画像信号とを参照して変倍処理を行うようにしたため、変倍処理後に、例えばＲＧＢ比などが保存され、特に無彩色の色情報の保存効果が高まると共に、色判定を行う場合でも高精度な色判定が可能となる。
【００２５】
また、請求項４にかかる発明は、請求項１に記載のカラー画像処理装置において、前記変倍手段が変倍処理後に保持させる所定の色情報は、少なくとも色差情報を含んでいることを特徴とする。
【００２６】
この請求項４の発明によれば、変倍手段が変倍処理後に保持させる所定の色情報として、少なくとも色差情報を含んでいるため、変倍処理後も色差情報が保存され、色空間全体において均等に色情報を保存することができる。
【００２７】
また、請求項５にかかる発明は、請求項４に記載のカラー画像処理装置において、前記変倍手段は、輝度信号と色差信号とで表されたカラー画像信号に対して変倍処理を行うもので、輝度信号に対して変倍処理を行う輝度信号変倍手段と、色差信号に対して変倍処理を行う色差信号変倍手段と、を備え、前記輝度信号変倍手段と前記色差信号変倍手段とで変倍処理を異ならせたことを特徴とする。
【００２８】
この請求項５の発明によれば、変倍手段は、輝度信号と色差信号で表されたカラー画像信号に対して変倍処理を行うもので、輝度信号に対して変倍処理を行う輝度信号変倍手段と、色差信号に対して変倍処理を行う色差信号変倍手段とで構成され、その輝度信号変倍手段と色差信号変倍手段とで行われる変倍処理を異ならせたため、変倍処理後も色差情報を保存して、無彩色のみならず全ての色に対して色情報が保持され、無彩色判定や有彩色判定以外の特定色判定に対しても有効になると共に、輝度信号に対するモアレの発生を防止することができる。
【００２９】
また、請求項６にかかる発明は、請求項５に記載のカラー画像処理装置において、前記色差信号変倍手段は、変倍処理時における参照画素領域を前記輝度信号変倍手段よりも狭くしたことを特徴とする。
【００３０】
この請求項６の発明によれば、色差信号変倍手段は、変倍処理時における参照画素領域を輝度信号変倍手段よりも狭くしたため、遠くの画素値の影響を受けずに色情報を保持することができ、変倍後もＲＧＢ比や色差として表現される色情報を保持することが可能となって、変倍処理後に高精度に色判定を行うことができる。
【００３１】
また、請求項７にかかる発明は、請求項５に記載のカラー画像処理装置において、前記輝度信号変倍手段と前記色差信号変倍手段は、いずれも周辺画素値に重みパラメータを加重して変倍処理を行うもので、前記輝度信号変倍手段と前記色差信号変倍手段とで重みパラメータが異なるようにしたことを特徴とする。
【００３２】
この請求項７の発明によれば、輝度信号変倍手段と色差信号変倍手段のいずれも周辺画素値に重みパラメータを加重して変倍処理を行うもので、輝度信号変倍手段と色差信号変倍手段とで重みパラメータが異なるようにしたため、参照画素領域が同じであってもパラメータを調整することにより、変倍処理後も色差情報が保存され、無彩色のみならず全ての色に対して色情報が保持されて、無彩色判定や有彩色判定以外の特定色判定が有効になると共に、輝度信号に対するモアレの発生を防止することができる。
【００３３】
また、請求項８にかかる発明は、請求項１に記載のカラー画像処理装置において、前記変倍手段は、２次元の変倍処理を行うもので、画像の縦と横の各方向で変倍処理を異ならせたことを特徴とする。
【００３４】
この請求項８の発明によれば、変倍手段は、２次元の変倍処理を行い、画像の縦と横の各方向で変倍処理を異なるようにしたため、画像の縦方向と横方向（スキャナの主走査方向と副走査方向）で変倍処理が異なり、各方向の色ずれ量の違いやＭＴＦ（Ｍｏｄｕｌａｔｉｏｎ  Ｔｒａｎｓｆｅｒ  Ｆｕｎｃｔｉｏｎ）の違いを反映させることで、縦横同等の色情報を保存することができる。
【００３５】
また、請求項９にかかる発明は、画像の特徴を表すコード情報が埋め込まれたカラー画像信号に対して変倍処理を行う変倍手段を備え、前記変倍手段による変倍処理後も前記コード情報を保持させることを特徴とする。
【００３６】
この請求項９の発明によれば、画像の特徴を表すコード情報が埋め込まれたカラー画像信号に対して変倍処理を行う変倍手段を具備し、その変倍手段による変倍処理後もコード情報を保持させるようにしたため、変倍処理後にコード情報を抽出する際に、高精度なコード情報の抽出を実現することができる。
【００３７】
また、請求項１０にかかる発明は、請求項９に記載のカラー画像処理装置において、前記コード情報は、所定の色成分を有する色情報としてカラー画像信号に埋め込まれていることを特徴とする。
【００３８】
この請求項１０の発明によれば、コード情報が所定の色成分を有する色情報としてカラー画像信号に埋め込まれているため、そのコード情報を用いた画像処理を高精度に実施することができる。
【００３９】
また、請求項１１にかかる発明は、請求項９に記載のカラー画像処理装置において、前記コード情報は、カラー画像信号の複数色成分のうち少なくとも１信号が画像の特徴を表すコード信号用として割り当てられ、埋め込まれていることを特徴とする。
【００４０】
この請求項１１の発明によれば、コード情報がカラー画像信号の複数色成分のうち少なくとも１信号が画像の特徴を表すコード信号用として割り当てられ、埋め込まれているため、そのコード情報を用いた画像処理を高精度に実施することができる。
【００４１】
また、請求項１２にかかる発明は、請求項９に記載のカラー画像処理装置において、前記コード情報を認識するコード情報認識手段をさらに備え、前記コード情報認識手段の認識結果に応じて前記変倍手段を制御することを特徴とする。
【００４２】
この請求項１２の発明によれば、コード情報を認識するコード情報認識手段をさらに具備し、そのコード情報認識手段の認識結果に応じて変倍手段を制御するようにしたため、コード情報を正確に保存することができる。
【００４３】
また、請求項１３にかかる発明は、請求項９に記載のカラー画像処理装置において、カラー画像信号中の所定の特徴を有する領域の判定を行う像域分離手段と、前記像域分離手段により所定の特徴を有すると判定された領域に対してコード情報を埋め込むコード情報埋め込み手段と、をさらに備え、前記像域分離手段の像域分離結果に応じて前記変倍手段を制御することを特徴とする。
【００４４】
この請求項１３の発明によれば、カラー画像信号中の所定の特徴を有する領域の判定を行う像域分離手段と、像域分離手段により所定の特徴を有すると判定された領域に対してコード情報を埋め込むコード情報埋め込み手段とを具備し、像域分離手段の像域分離結果に応じて変倍手段を制御するようにしたため、コード埋め込みに使用した画像の所定の特徴を表す識別信号やコード埋め込み画像から抽出したコード情報信号を使って、コード情報を正確に保存することができる。
【００４５】
また、請求項１４にかかる発明は、請求項９に記載のカラー画像処理装置において、カラー画像信号中で所定の特徴を有する領域画素の場合は、前記変倍手段による変倍処理後も埋め込まれているコード情報を保持するように選択処理を行う第１の選択手段と、カラー画像信号中で所定の特徴を有しない領域画素の場合は、前記変倍手段による変倍処理によってコード情報を有する画素に変換されないように選択処理を行う第２の選択手段とをさらに備えたことを特徴とする。
【００４６】
この請求項１４の発明によれば、カラー画像信号中で所定の特徴を有する領域画素の場合、第１の選択手段によって変倍手段による変倍処理後も埋め込まれているコード情報を保持するように選択処理し、カラー画像信号中で所定の特徴を有しない領域画素の場合、第２の選択手段によって変倍手段による変倍処理でコード情報を有する画素に変換されないように選択処理するため、コード情報埋め込み部のみならず、コード情報を埋め込んでいない領域に対してもコード抽出性を考慮した変倍処理を行うことが可能となり、変倍後のコード抽出が更に高精度に実現できる。
【００４７】
また、請求項１５にかかる発明は、カラー画像信号に対して変倍処理を行う変倍ステップを含み、前記変倍ステップは、変倍処理後のカラー画像信号に所定の色情報を保持させることを特徴とする。
【００４８】
この請求項１５の発明によれば、変倍ステップによってカラー画像信号に対して変倍処理を行い、その変倍ステップは、変倍処理後のカラー画像信号に所定の色情報を保持させるようにしたため、変倍処理後に色判定を行う場合でも高精度な色判定を実現することができる。
【００４９】
また、請求項１６にかかる発明は、請求項１５に記載のカラー画像処理方法において、前記変倍ステップによって変倍処理後に保持させる所定の色情報は、複数色成分信号の比であることを特徴とする。
【００５０】
この請求項１６の発明によれば、変倍ステップによって変倍処理後に保持させる所定の色情報として、複数色成分信号の比を保持するようにしたため、変倍処理後に、例えばＲＧＢ比などが保存されることから、特に無彩色の色情報の保存効果を高くすることができる。
【００５１】
また、請求項１７にかかる発明は、請求項１６に記載のカラー画像処理方法において、前記変倍ステップは、複数色成分信号で表されたカラー画像信号のうち、少なくとも１信号に対して変倍処理を行う第１の変倍ステップと、前記第１の変倍ステップで変倍処理されなかった少なくとも１信号に対して変倍処理を行う第２の変倍ステップと、を含み、前記第２の変倍ステップは、変倍前の画像信号および前記第１の変倍ステップによる変倍後の画像信号を参照して変倍処理を行うことを特徴とする。
【００５２】
この請求項１７の発明によれば、変倍ステップは、複数色成分信号で表されたカラー画像信号のうち、少なくとも１信号に対して変倍処理を行う第１の変倍ステップと、その第１の変倍ステップで変倍処理されなかった少なくとも１信号に対して変倍処理を行う第２の変倍ステップとを含み、第２の変倍ステップは、変倍前の画像信号および第１の変倍ステップによる変倍後の画像信号を参照して変倍処理を行うようにしたため、変倍処理後に、例えばＲＧＢ比などが保存され、特に無彩色の色情報の保存効果が高まると共に、色判定を行う場合でも高精度な色判定が可能となる。
【００５３】
また、請求項１８にかかる発明は、請求項１５に記載のカラー画像処理方法において、前記変倍ステップによって変倍処理後に保持させる所定の色情報は、少なくとも色差情報を含んでいることを特徴とする。
【００５４】
この請求項１８の発明によれば、変倍ステップによって変倍処理後に保持させる所定の色情報として、少なくとも色差情報を含んでいるため、変倍処理後も色差情報が保存され、色空間全体において均等に色情報を保存することができる。
【００５５】
また、請求項１９にかかる発明は、請求項１８に記載のカラー画像処理方法において、前記変倍ステップは、輝度信号と色差信号とで表されたカラー画像信号に対して変倍処理を行うもので、輝度信号に対して変倍処理を行う輝度信号変倍ステップと、色差信号に対して変倍処理を行う色差信号変倍ステップと、を含み、前記輝度信号変倍ステップと前記色差信号変倍ステップとで変倍処理を異ならせたことを特徴とする。
【００５６】
この請求項１９の発明によれば、変倍ステップは、輝度信号と色差信号とで表されたカラー画像信号に対して変倍処理を行うもので、輝度信号に対して変倍処理を行う輝度信号変倍ステップと、色差信号に対して変倍処理を行う色差信号変倍ステップとを含み、輝度信号変倍ステップと色差信号変倍ステップとで変倍処理を異ならせたため、変倍処理後も色差情報を保存して、無彩色のみならず全ての色に対して色情報が保持され、無彩色判定や有彩色判定以外の特定色判定に対しても有効になると共に、輝度信号に対するモアレの発生を防止することができる。
【００５７】
また、請求項２０にかかる発明は、請求項１９に記載のカラー画像処理方法において、前記色差信号変倍ステップは、変倍処理時における参照画素領域を前記輝度信号変倍ステップのときよりも狭くしたことを特徴とする。
【００５８】
この請求項２０の発明によれば、色差信号変倍ステップは、変倍処理時における参照画素領域を輝度信号変倍ステップのときよりも狭くしたため、遠くの画素値の影響を受けずに色情報を保持することができ、変倍後もＲＧＢ比や色差として表現される色情報を保持することが可能となって、変倍処理後に高精度に色判定を行うことができる。
【００５９】
また、請求項２１にかかる発明は、請求項１９に記載のカラー画像処理方法において、前記輝度信号変倍ステップと前記色差信号変倍ステップは、いずれも周辺画素値に重みパラメータを加重して変倍処理を行うもので、前記輝度信号変倍ステップと前記色差信号変倍ステップとで重みパラメータが異なるようにしたことを特徴とする。
【００６０】
この請求項２１の発明によれば、輝度信号変倍ステップと色差信号変倍ステップのいずれも周辺画素値に重みパラメータを加重して変倍処理を行うもので、輝度信号変倍ステップと色差信号変倍ステップとで重みパラメータが異なるようにしたため、参照画素領域が同じであってもパラメータを調整することにより、変倍処理後も色差情報が保存され、無彩色のみならず全ての色に対して色情報が保持されて、無彩色判定や有彩色判定以外の特定色判定が有効になると共に、輝度信号に対するモアレの発生を防止することができる。
【００６１】
また、請求項２２にかかる発明は、請求項１５に記載のカラー画像処理方法において、前記変倍ステップは、２次元の変倍処理を行うもので、画像の縦と横の各方向で変倍処理を異ならせたことを特徴とする。
【００６２】
この請求項２２の発明によれば、変倍ステップは、２次元の変倍処理を行い、画像の縦方向と横方向（スキャナの主走査方向と副走査方向）で変倍処理を異ならせ、各方向の色ずれ量の違いやＭＴＦの違いを反映させるようにしたため、縦横同等の色情報を保存することができる。
【００６３】
また、請求項２３にかかる発明は、画像の特徴を表すコード情報が埋め込まれたカラー画像信号に対して変倍処理を行う変倍ステップを含み、前記変倍ステップによる変倍処理後も前記コード情報を保持させることを特徴とする。
【００６４】
この請求項２３の発明によれば、画像の特徴を表すコード情報が埋め込まれたカラー画像信号に対して変倍処理を行う変倍ステップを含み、その変倍ステップによる変倍処理後もコード情報を保持させるようにしたため、変倍処理後にコード情報を抽出する際に、高精度なコード情報の抽出を実現することができる。
【００６５】
また、請求項２４にかかる発明は、請求項２３に記載のカラー画像処理方法において、前記コード情報は、所定の色成分を有する色情報としてカラー画像信号に埋め込まれていることを特徴とする。
【００６６】
この請求項２４の発明によれば、コード情報が所定の色成分を有する色情報としてカラー画像信号に埋め込まれているため、そのコード情報を用いた画像処理を高精度に実施することができる。
【００６７】
また、請求項２５にかかる発明は、請求項２３に記載のカラー画像処理方法において、前記コード情報は、カラー画像信号の複数色成分のうち少なくとも１信号が画像の特徴を表すコード信号用として割り当てられ、埋め込まれていることを特徴とする。
【００６８】
この請求項２５の発明によれば、コード情報がカラー画像信号の複数色成分のうち少なくとも１信号が画像の特徴を表すコード信号用として割り当てられ、埋め込まれているため、そのコード情報を用いた画像処理を高精度に実施することができる。
【００６９】
また、請求項２６にかかる発明は、請求項２３に記載のカラー画像処理方法において、前記コード情報を認識するコード情報認識ステップをさらに含み、前記コード情報認識ステップによる認識結果に応じて前記変倍ステップにおける変倍処理を制御することを特徴とする。
【００７０】
この請求項２６の発明によれば、コード情報を認識するコード情報認識ステップをさらに含み、そのコード情報認識ステップによる認識結果に応じて変倍ステップにおける変倍処理を制御するようにしたため、コード情報を正確に保存することができる。
【００７１】
また、請求項２７にかかる発明は、請求項２３に記載のカラー画像処理方法において、カラー画像信号中の所定の特徴を有する領域の判定を行う像域分離ステップと、前記像域分離ステップにより所定の特徴を有すると判定された領域に対してコード情報を埋め込むコード情報埋め込みステップと、をさらに含み、前記像域分離ステップの像域分離結果に応じて前記変倍ステップにおける変倍処理を制御することを特徴とする。
【００７２】
この請求項２７の発明によれば、カラー画像信号中の所定の特徴を有する領域の判定を行う像域分離ステップと、像域分離ステップにより所定の特徴を有すると判定された領域に対してコード情報を埋め込むコード情報埋め込みステップとを含み、像域分離ステップの像域分離結果に応じて変倍ステップにおける変倍処理を制御するようにしたため、コード埋め込みに使用した画像の所定の特徴を表す識別信号やコード埋め込み画像から抽出したコード情報信号を使って、コード情報を正確に保存することができる。
【００７３】
また、請求項２８にかかる発明は、請求項２３に記載のカラー画像処理方法において、カラー画像信号中で所定の特徴を有する領域画素の場合は、前記変倍ステップにより変倍処理した後も埋め込まれているコード情報を保持するように選択処理を行う第１の選択ステップと、カラー画像信号中で所定の特徴を有しない領域画素の場合は、前記変倍ステップによる変倍処理によってコード情報を有する画素に変換されないように選択処理を行う第２の選択ステップとをさらに含むことを特徴とする。
【００７４】
この請求項２８の発明によれば、カラー画像信号中で所定の特徴を有する領域画素の場合、第１の選択ステップにより変倍ステップの変倍処理後も埋め込まれたコード情報を保持するように選択処理し、カラー画像信号中で所定の特徴を有しない領域画素の場合、第２の選択ステップにより変倍ステップの変倍処理でコード情報を有する画素に変換されないように選択処理するため、コード情報埋め込み部のみならず、コード情報を埋め込んでいない領域に対してもコード抽出性を考慮した変倍処理を行うことが可能となり、変倍後のコード抽出が更に高精度に実現できる。
【００７５】
【発明の実施の形態】
以下に添付図面を参照して、この発明にかかるカラー画像処理装置およびカラー画像処理方法の好適な実施の形態を詳細に説明する。
【００７６】
（実施の形態１）
図１は、本実施の形態１にかかるカラー画像処理装置の概略構成を示すブロック図である。カラー画像処理装置１０は、変倍部１１、黒文字判定部１２、メモリ蓄積部１３、外部Ｉ／Ｆ（インタフェース）、色補正／ＵＣＲ（Ｕｎｄｅｒ  Ｃｏｌｏｒ  Ｒｅｍｏｖａｌ）部１５、および変倍率設定部１６などにより構成されている。
【００７７】
カラースキャナ等で取得したＲＧＢカラー画像のデータに対して変倍部１１で変倍処理を行う場合、ユーザは予め不図示のオペレーションパネルを使って変倍率設定部１６に任意の変倍率を設定しておく。変倍率設定部１６で設定された変倍率に基づいて変倍部１１で変倍処理された画像データは、黒文字判定部１２で黒文字部の判定が行われる。この黒文字判定については、従来より像域分離等で実施されており、その方法はエッジ判定や網点等の背景検出と色判定など複数の判定結果から総合判定する方法が一般的であるため、ここでは説明を省略する。
【００７８】
このように変倍処理された画像データと黒文字判定結果とは、それぞれメモリ蓄積部１３に蓄積保管される。このとき、データを圧縮処理して蓄積するようにすれば、メモリ容量を有効活用することができる。
【００７９】
また、メモリ蓄積部１３に蓄積されたメモリ蓄積画像は、外部Ｉ／Ｆ１４を介して、不図示の外部機器との間で画像データを送受信することも可能である。
【００８０】
さらに、色補正／ＵＣＲ部１５では、メモリ蓄積部１３に蓄積された画像データと黒文字判定結果とを読み出して、その黒文字判定結果を使って黒文字部をＫ単色、あるいは、概ねＫ単色に再生する。この色補正／ＵＣＲ部１５によって処理されたＣＭＹＫ画像を不図示のプリンタなどに出力する場合は、黒文字部をＫ単色で再生することにより、色ずれ発生時にも黒文字周囲の色つきを抑制することが可能となり、高画質の出力画像を得ることができる。
【００８１】
次に、図１の変倍部１１における詳細な構成について説明する。図２は、図１の変倍部１１における原画像の画素位置と内挿位置との関係を説明する図であり、原画像の画素データを｛ＲｉＧｉＢｉ｝（ｉ＝１，２，３，４）で示し、内挿画素を｛Ｒ’Ｇ’Ｂ’｝で示している。
【００８２】
図３は、図１の変倍部１１の一構成例を示すブロック図である。図３に示した変倍部は、Ｒ信号を変倍処理する第２の変倍部３１と、Ｇ信号を変倍処理する第１の変倍部３０と、Ｂ信号を変倍処理する第２の変倍部３２とを備えている。そして、上記第２の変倍部３１は、ＲＧ比算出部３１１と、乗算器３１２とを備え、上記第２の変倍部３２は、ＢＧ比算出部３２１と、乗算器３２２とを備えている。
【００８３】
図３の変倍部の動作において、まず、Ｇ信号については、従来の変倍処理と同様である。つまり、第１の変倍部３０にて両隣の２画素ずつ、計４画素を使用して、３次関数コンボリューション法によって変倍処理が行われる。
【００８４】
これに対して、Ｒ信号とＢ信号の変倍処理が従来とは異なっている。すなわち、第２の変倍部３１では、ＲＧＢ比を保存するように変倍処理が行われる。Ｒ信号の変倍処理は、第２の変倍部３１内のＲＧ比算出部３１１にて、内挿位置の最近傍画素｛Ｒ３，Ｇ３，Ｂ３｝のＲ３：Ｇ３をα＝Ｒ３／Ｇ３として求めておく。続いて、第２の変倍部３１の乗算器３１２にて、αとＧ’（Ｇ信号の変倍後のデータ）とを乗算することにより、Ｒ’＝α×Ｇ’としてＲの変倍後のデータを求める。また、Ｂ信号の変倍処理は、第２の変倍部３２内のＢＧ比算出部３２１にて、内挿位置の最近傍画素｛Ｒ３，Ｇ３，Ｂ３｝のＢ３：Ｇ３をβ＝Ｂ３／Ｇ３として求めておく。続いて、第２の変倍部３２の乗算器３２２にて、βとＧ’（Ｇ信号の変倍後のデータ）とを乗算することにより、Ｂ’＝β×Ｇ’としてＢの変倍後のデータを求める。
【００８５】
このように、本実施の形態１によれば、カラー画像データの変倍処理後もＲＧＢ比を保持するようにしたため、変倍後に色判定（例えば、黒文字判定）を行う処理であっても、高精度な色判定を実現することができる。特に、ＲＧＢ比を保存するようにすれば、Ｒ＝Ｇ＝Ｂ＝０である無彩色はそのまま保存され、かつ、無彩色近傍色が変倍後に無彩色に変化することがないため、誤判定の少ない無彩色判定を行うことが可能となり、無彩色判定に対して非常に有利となる。その上、Ｇ信号に対しては、３次関数コンボリューション法を用いたため、網点部でのモアレによる劣化が少なくなるという効果が得られる。
【００８６】
（実施の形態２）
本実施の形態２は、図１の変倍部１１において、上記実施の形態１とは異なるもう一つ別の構成例を示したものである。図４は、実施の形態２における変倍部１１の構成例を示すブロック図であり、その変倍部１１は、ＲＧＢ→ＹＩＱ変換部４１、輝度信号変倍手段としての第１の変倍部４２、および、色差信号変倍手段としての第２の変倍部４３などを備えている。
【００８７】
ＲＧＢ→ＹＩＱ変換部４１は、カラー画像の３成分であるＲ（赤）Ｇ（緑）Ｂ（青）信号を輝度色差信号であるＹＩＱ信号に変換するもので、その変換式は次式（１）に基づいている。
【００８８】
【数１】
2004253874.tif 000003
【００８９】
上式（１）は、Ｙ＝０．３０Ｒ＋０．５９Ｇ＋０．１１Ｂ
Ｉ＝０．６０Ｒ−０．２８Ｇ−０．３２Ｂ
Ｑ＝０．２１Ｒ−０．５２Ｇ−０．３１Ｂ
を計算することにより、ＲＧＢ信号をＹＩＱ信号に変換することができる。
【００９０】
本実施の形態２の例では、ＲＧＢ信号をＹＩＱ信号に変換した場合で説明したが、これ以外にもＹＣｂＣｒ信号、その他の輝度・色差信号、あるいは、Ｌ＊ａ＊ｂ＊等の明度・色度信号に変換してもよく、また、ネットワークを介して輝度色差信号で表された画像を受信して変倍処理する場合などでは、信号空間変換をしなくてもよい場合もありうる。
【００９１】
第１の変倍部４２は、前段のＲＧＢ→ＹＩＱ変換部４１によってＹＩＱ信号に変換されたＹ（輝度）信号に対して、３次関数コンボリューション法による変倍処理を施すものである。第１の変倍部４２に３次関数コンボリューション法を用いたのは、変倍処理によって網点部で発生するモアレを防止するためである（輝度信号は特にモアレに対する寄与が大きいことによる）。
【００９２】
第２の変倍部４３は、前段のＲＧＢ→ＹＩＱ変換部４１によって変換されたＹＩＱ信号のうち、ＩＱ（色差）信号に対してニアレストネイバー法により変倍処理を各信号（ＩとＱ）に対して施すものである。第２の変倍部４３にニアレストネイバー法を用いたのは、色差情報を保持するためである。
【００９３】
なお、本実施の形態２では、必ずしも上記の変倍方法に限定されるものではなく、上記第１の変倍部４２は、周辺画素を比較的広く参照して内挿するものであって、上記第２の変倍部４３は、周辺画素を狭く（せいぜい両隣程度を）参照することにより、遠くの画素値の影響を受けずに色情報が保持できるものであればよい。仮に参照領域の同じ、例えば、３次関数コンボリューション法を用いた場合であっても、使用する重みパラメータを調整することにより、第２の変倍部４３の方がより近い画素の影響度を高めるようなパラメータ設定を行うならば、上記と同様に実施することが可能である。
【００９４】
このように、本実施の形態２によれば、変倍後も色差情報を保持するようにしたため、変倍後に色判定を行っても高精度な色判定を実現することができる。特に、色差情報の保存は、無彩色のみならず、全ての色に対して色情報を保持する効果が高く、無彩色判定や有彩色判定以外の特定色判定に対しても有効である。その上、モアレへの寄与が大きい輝度信号に対しては、モアレ抑制効果の高い３次関数コンボリューション法を用いたため、網点部でのモアレによる劣化を少なくすることができる。
【００９５】
（実施の形態３）
本実施の形態３は、副走査方向の変倍処理を行う場合でも電気変倍を実施するカラー画像処理装置に関するものである。そして、図５は、実施の形態３における変倍部の構成例を示すブロック図であリ、図１における変倍部１１の一構成例を示している。図５の変倍部は、ＲＧＢ→ＹＩＱ変換部４１、第１の変倍部４２、および第２の変倍部４３などで構成され、さらに、第１の変倍部４２は、主走査方向変倍部５１と副走査方向変倍部５４とを備え、第２の変倍部４３は、主走査方向変倍部５２，５３と副走査方向変倍部５５，５６とを備えている。
【００９６】
この図５の変倍部における動作は、ＲＧＢ→ＹＩＱ変換部４１に入力されるＲＧＢ信号をＹＩＱ信号に変換した後、Ｙ信号に対しては、第１の変倍部４２の主走査方向変倍部５１と副走査方向変倍部５４とにより変倍処理が行われる。また、Ｉ信号とＱ信号に対しては、第２の変倍部４３の主走査方向変倍部５２，５３と副走査方向変倍部５４，５６とによってそれぞれ変倍処理が行われ、変倍処理されたＹＩＱ信号（Ｙ’Ｉ’Ｑ’信号）が出力される。このように、ＹＩＱ空間において、Ｙ信号の変倍処理に第１の変倍部４２を用い、ＩＱ信号の変倍処理に第２の変倍部４３を用いるというように、変倍処理を異ならせる構成については、上記実施の形態２（図４参照）から引き継いでいる。しかし、本実施の形態３では、さらに主走査方向と副走査方向で変倍に使用するパラメータを異ならせている点に特徴がある。
【００９７】
図６は、図５の各変倍部の主走査方向変倍部と副走査方向変倍部で使用するパラメータをそれぞれ別に設定するパラメータ設定部を示した図である。図６のパラメータ設定部は、主走査用パラメータ設定部６１と副走査用パラメータ設定部６２とに分けられ、スキャナ特性に応じて主走査方向と副走査方向のパラメータを別々に設定する。ここでいうスキャナ特性とは、画像を読み取る際のスキャナの主走査方向と副走査方向の夫々の色ずれ量やＭＴＦ特性といったパラメータのことで、機械の工場出荷時に手入力や自動計測などによって取得されるパラメータのことである。そして、色ずれ量は、色判定精度に大きく関係し、主走査と副走査の各方向で異なるため、夫々の方向の色ずれ量に合わせて、色情報保存型の変倍を制御することにより、色情報の保持をより的確に行うことができる。
【００９８】
このため、図６の主走査用パラメータ設定部６１で設定されたパラメータｐ１，ｐ２，ｐ３は、図５に示す第１の変換部４２および第２の変換部４３の各主走査方向変倍部５１，５２，５３にそれぞれ入力されて、変倍処理が行われる。また、副走査用パラメータ設定部６２で設定されたパラメータｑ１，ｑ２，ｑ３は、図５に示す第１の変換部４２および第２の変換部４３の各副走査方向変倍部５４，５５，５６にそれぞれ入力されて、変倍処理が行われる。
【００９９】
このように、本実施の形態３によれば、スキャナ特性に応じて主走査用パラメータ設定部６１および副走査用パラメータ設定部６２で設定したパラメータを用いて、主走査方向と副走査方向で別々に変倍処理を行うようにしたため、変倍後の色判定処理において、主走査方向と副走査方向の色判定精度が同等になるように調整することが可能となり、これによって画質を向上させることができる。
【０１００】
なお、本実施の形態３では、主走査方向と副走査方向の変倍処理を行う際に、使用するパラメータを切り換えることで、異なった変倍処理を行うようにしたが、これに限らず、変倍方式そのものを主走査方向と副走査方向で切り換えることによって、異なった変倍処理を行うようにしても勿論よい。
【０１０１】
また、本実施の形態３では、上記した実施の形態２におけるＹＩＱ空間での変倍処理をベースに説明したが、その他の変倍方式を用いて、主走査方向と副走査方向の変倍処理を切り換えるようにしてもよく、その場合も上記と同様に好適な効果を得ることができる。
【０１０２】
（実施の形態４）
本実施の形態４は、コード情報が埋め込まれたコード埋め込み画像の変倍処理に関する。
【０１０３】
図７は、本実施の形態４のカラー画像処理装置においてＲＧＢカラー画像にコード情報の埋め込みを行う構成部の説明図であり、図８は、図７でコード情報が埋め込まれた画像の変倍処理を行う構成部の説明図である。この図７と図８の関係は、ここでは図７がスキャナ入力（ＲＧＢカラー画像）をメモリ蓄積部７４に蓄積するまでを示し、図８はそのメモリ蓄積部に蓄積されたカラー画像を変倍処理してプリンタ出力するまでの同一機器における前半部分と後半部分の関係としたが、必ずしもこの関係に限定されるものではない。例えば、図７と図８を同一機器ではなく、両者をネットワークで繋いだ送信側と受信側の構成部の関係として捉えることも勿論可能である。また、図８の構成部は、図７中に示した外部Ｉ／Ｆ７６を介してコード情報が埋め込まれた画像を取得するものと想定することも勿論可能である。
【０１０４】
次に、本実施の形態４の動作について説明する。まず、図７に示すように、不図示のスキャナで読み取られたＲＧＢカラー画像は、黒文字判定部７１にて黒文字部の判定処理を行うと共に、コード埋め込み部７２にて画像の黒文字部に黒文字であるということを表すコード情報が埋め込まれる。この実施の形態４では、上記した特許文献３（特開平８−９８０１６号公報）に記載された装置と同様に、Ｒ＝Ｇ＝Ｂをコード情報として使用したが、前述したようにそれ以外のコード情報を使用することも勿論可能である。
【０１０５】
続いて、ユーザは、不図示のオペレーションパネルを介して変倍率設定部７５に任意の変倍率を設定すると、設定された変倍率がヘッダー書き込み部７３に送られ、コードが埋め込まれた画像のヘッダー情報として、設定された変倍率が書き込まれ、メモリ蓄積部７４に蓄積される。このメモリ蓄積部７４は、上述したように外部Ｉ／Ｆ７６を通じて、不図示の外部機器との間でコードが埋め込まれた画像データを送受信することも可能である。
【０１０６】
次に、図８に示すように、ヘッダー読み出し部８１は、図７のメモリ蓄積部７４からコードが埋め込まれた画像データを取得すると、そのヘッダー情報を参照する。ヘッダーには、上述したようにユーザが設定した変倍率が書き込まれているため、ヘッダー読み出し部８１より取得した変倍率に基づいて、変倍部８２で変倍処理が行われる。変倍部８２で変倍処理された画像データは、次段のコード抽出部８３にてコード情報の抽出処理を行うことにより、黒文字部の識別信号が生成される。さらに、次段の色補正／ＵＣＲ部８４では、コード抽出部８３からのコード情報（黒文字部の識別信号）に基づく色補正処理を行って、黒文字部はＫ単色、あるいは、概ねＫ単色で再生されるＣＭＹＫ画像を出力する。
【０１０７】
上記したコード抽出部８３におけるコード抽出処理は、上述したように、コード情報としてＲ＝Ｇ＝Ｂを使用したため、当然Ｒ＝Ｇ＝Ｂ画素の検出結果に基づいてコード抽出が行われるが、この場合も、上記した実施の形態１および実施の形態２で使用した変倍方法を用いるならば、コード情報として埋め込まれたＲ＝Ｇ＝Ｂのデータが変倍処理後においても保持されるため、コード抽出を高精度に行うことが可能となる。
【０１０８】
以上説明したように、本実施の形態４によれば、画像の黒文字領域等、所定の特徴を有する領域に埋め込まれたコード情報を変倍後も保持することができるため、後段でコード情報を用いた適応的な画像処理を高精度に実施することが可能となる。
【０１０９】
（実施の形態５）
本実施の形態５は、コード情報が埋め込まれた画像の変倍処理を行う場合であって、上記実施の形態４とは異なる別の実施例について説明する。
【０１１０】
図９は、本実施の形態５に係るカラー画像処理装置の構成を説明するブロック図である。図９は、上記した実施の形態４における図７および図８を一つにまとめて構成したようなものであるが、上記実施の形態４の場合は、後段（図８の変倍部８２参照）において変倍処理を施す構成を採用しいるのに対して、本実施の形態５では、前段（メモリ蓄積部９４の前）で変倍処理を行う構成を採用している点で異なっている。
【０１１１】
この実施の形態５では、図９のように構成することにより、黒文字判定部９１で判定したコード埋め込み用の黒文字判定信号を変倍部９３で変倍処理する際に参照することも可能となるため、仮にメモリ蓄積部９４の後段に黒文字判定信号を持ち込んだ場合と比べると、断然負荷を少なくすることができる。このため、変倍部９３では、黒文字領域を参照して、内挿位置の最近傍画素が黒文字判定された画素か否かを確認し、黒文字判定された画素であるなら、黒文字画素であるコード情報を持った画素を変倍後画素として内挿するようにする。なお、図９では、コード埋め込み部９２と変倍部９３とが別ブロックで構成され、順次シリアル処理されるように構成したが、この構成に限定されるものではなく、変倍処理とコードの埋め込み処理を同時に実施するように構成することも可能である。
【０１１２】
また、図１０は、本実施の形態５に係るカラー画像処理装置の別の構成を説明するブロック図である。図１０に示すように、黒文字判定信号を変倍部１０４で直接参照するのではなく、黒文字判定信号に基づいてコード埋め込み部１０２で埋め込まれたコード情報を、次段のコード抽出部１０３にて抽出し、その抽出されたコード情報を参照することによって変倍処理を行うように構成することも可能である。
【０１１３】
この図１０の構成とすることにより、メリットが発生するケースとして考えられるのは、上記処理をハード構成で実現する際に、コード埋め込み部１０２とコード抽出部１０３とが同一基板上にない場合である。その場合は、黒文字判定信号を変倍部に直接持ち込むよりも、コード抽出を行った方がハード的なメリットがあるといえる。
【０１１４】
また、図１１は、本実施の形態５におけるさらに別の一部構成例を示すブロック図であリ、黒文字コード化部１１１、スルー部１１２、コンボリューション部１１３、色判定部１１４、第２セレクタ１１５、および第１セレクタ１１６などにより構成されている。この図１１に示すような構成によって変倍処理を行えば、変倍処理後のコード抽出の精度をより高めることが可能となる。
【０１１５】
そこで、図１１の動作について説明する。最近傍画素の黒文字検出結果を参照して、黒文字画素である（第１セレクタ１１６の入力が「１」の）場合は、黒文字コード化部１１１から出力される黒文字コード情報を有する画素を第１セレクタ１１６で選択的に出力し、変倍後画素として内挿する。
【０１１６】
一方、最近傍画素の黒文字検出結果が非黒文字画素である（第１セレクタ１１６の入力が「０」の）場合は、基本的にはコンボリューション変倍部１１３からの出力を変倍後画素として内挿することになるが、３次関数コンボリューション演算により求められた値が黒文字コードであるＲ＝Ｇ＝Ｂであった（色判定部１１４にて「１」と判定した）場合に限って、スルー部１１２からの最近傍画素値を内挿画素値として第２セレクタ１１５により選択出力する。こうすることにより、非黒文字領域が変倍処理によってコード情報を有するＲ＝Ｇ＝Ｂの画素に変換されるのを防止することができる。従って、変倍後のコード抽出で、非黒文字領域で黒文字として抽出される誤抽出を抑制する効果が得られる。
【０１１７】
以上述べたように、本実施の形態５によれば、黒文字判定信号、あるいは、コード抽出によって抽出されたコード情報を変倍処理に持ち込むことで、画像の黒文字領域等、所定の特徴を有する領域に埋め込まれたコード情報を変倍後も保持するようにしたため、後段でコード情報を用いた適応的な画像処理を高精度に実施することができる。
【０１１８】
なお、上記の各実施の形態では、コード情報としてａ＊＝ｂ＊＝０の場合で説明したが、必ずしもこれに限定されるものではなく、その他の色情報をコード埋め込みしても良い。
【０１１９】
また、上記の各実施の形態では、仮にａ＊＝ｂ＊＝０でコード埋め込みした場合に、非黒文字領域に元々ａ＊＝ｂ＊＝０の画素が多いと、コード抽出時に非黒文字領域のａ＊＝ｂ＊＝０の画素も含めて黒文字領域として抽出してしまい、両者の切り分けが困難となる。そこで、これを避けるため、スキャナ入力信号としてａ＊＝ｂ＊＝０よりも発生確率の低い色情報をコード情報として使用することもできる。例えば、Ｒ＝Ｂ＝０をコード情報として埋め込み、後段では黒文字領域として抽出された領域に対してＧ信号を使用して黒文字画像を再生するようにする。こうすれば、ａ＊＝ｂ＊＝０を埋め込んだ場合と異なり、埋め込み後の画像をそのまま閲覧した場合に、画像としては不自然となるが、コード抽出の高精度化にとって有効となることがある。
【０１２０】
さらに、上記の各実施の形態では、本発明の処理をハード構成で実現した場合について説明したが、上記処理をソフト的に実現することも勿論可能である。
【０１２１】
また、上記の各実施の形態では、カラープリンタを想定して実施した例で説明したが、この他にもカラー複写機やカラーファクシミリ等といったカラー画像処理を行う種々の装置に対しても適用することが可能である。
【０１２２】
【発明の効果】
以上説明したように、請求項１にかかる発明によれば、変倍手段によってカラー画像信号を変倍処理する際に、変倍処理後のカラー画像信号に所定の色情報を保持するようにしたので、変倍処理後に色判定を行う場合でも高精度な色判定を実現することができる。
【０１２３】
また、請求項２にかかる発明によれば、変倍手段が変倍処理後に保持させる所定の色情報として、複数色成分信号の比を保持するようにしたので、変倍処理後に、例えばＲＧＢ比などが保存されることから、特に無彩色の色情報の保存効果を高くすることができる。
【０１２４】
また、請求項３にかかる発明によれば、変倍手段として、複数色成分信号で表されたカラー画像信号のうち、少なくとも１信号に対して変倍処理を行う第１の変倍手段と、第１の変倍手段で変倍処理されなかった少なくとも１信号に対して変倍処理を行う第２の変倍手段とを備え、第２の変倍手段は、変倍前の画像信号と第１の変倍手段による変倍後の画像信号とを参照して変倍処理を行うようにしたので、変倍処理後に、例えばＲＧＢ比などが保存され、特に無彩色の色情報の保存効果が高まると共に、色判定を行う場合でも高精度な色判定が可能となる。
【０１２５】
また、請求項４にかかる発明によれば、変倍手段が変倍処理後に保持させる所定の色情報として、少なくとも色差情報を含んでいるので、変倍処理後も色差情報が保存され、色空間全体において均等に色情報を保存することができる。
【０１２６】
また、請求項５にかかる発明によれば、変倍手段は、輝度信号と色差信号で表されたカラー画像信号に対して変倍処理を行うもので、輝度信号に対して変倍処理を行う輝度信号変倍手段と、色差信号に対して変倍処理を行う色差信号変倍手段とで構成され、その輝度信号変倍手段と色差信号変倍手段とで行われる変倍処理を異ならせたので、変倍処理後も色差情報を保存して、無彩色のみならず全ての色に対して色情報が保持され、無彩色判定や有彩色判定以外の特定色判定に対しても有効になると共に、輝度信号に対するモアレの発生を防止することができる。
【０１２７】
また、請求項６にかかる発明によれば、色差信号変倍手段は、変倍処理時における参照画素領域を輝度信号変倍手段よりも狭くしたので、遠くの画素値の影響を受けずに色情報を保持することができ、変倍後もＲＧＢ比や色差として表現される色情報を保持することが可能となって、変倍処理後に高精度に色判定を行うことができる。
【０１２８】
また、請求項７にかかる発明によれば、輝度信号変倍手段と色差信号変倍手段のいずれも周辺画素値に重みパラメータを加重して変倍処理を行うもので、輝度信号変倍手段と色差信号変倍手段とで重みパラメータが異なるようにしたので、参照画素領域が同じであってもパラメータを調整することにより、変倍処理後も色差情報が保存され、無彩色のみならず全ての色に対して色情報が保持されて、無彩色判定や有彩色判定以外の特定色判定が有効になると共に、輝度信号に対するモアレの発生を防止することができる。
【０１２９】
また、請求項８にかかる発明によれば、変倍手段は、２次元の変倍処理を行い、画像の縦と横の各方向で変倍処理を異なるようにしたので、画像の縦方向と横方向（スキャナの主走査方向と副走査方向）で変倍処理が異なり、各方向の色ずれ量の違いやＭＴＦの違いを反映させることで、縦横同等の色情報を保存することができる。
【０１３０】
また、請求項９にかかる発明によれば、画像の特徴を表すコード情報が埋め込まれたカラー画像信号に対して変倍処理を行う変倍手段を具備し、その変倍手段による変倍処理後もコード情報を保持させるようにしたので、変倍処理後にコード情報を抽出する際に、高精度なコード情報の抽出を実現することができる。
【０１３１】
また、請求項１０にかかる発明によれば、コード情報が所定の色成分を有する色情報としてカラー画像信号に埋め込まれているので、そのコード情報を用いた画像処理を高精度に実施することができる。
【０１３２】
また、請求項１１にかかる発明によれば、コード情報がカラー画像信号の複数色成分のうち少なくとも１信号が画像の特徴を表すコード信号用として割り当てられ、埋め込まれているので、そのコード情報を用いた画像処理を高精度に実施することができる。
【０１３３】
また、請求項１２にかかる発明によれば、コード情報を認識するコード情報認識手段をさらに具備し、そのコード情報認識手段の認識結果に応じて変倍手段を制御するようにしたので、コード情報を正確に保存することができる。
【０１３４】
また、請求項１３にかかる発明によれば、カラー画像信号中の所定の特徴を有する領域の判定を行う像域分離手段と、像域分離手段により所定の特徴を有すると判定された領域に対してコード情報を埋め込むコード情報埋め込み手段とを具備し、像域分離手段の像域分離結果に応じて変倍手段を制御するようにしたので、コード埋め込みに使用した画像の所定の特徴を表す識別信号やコード埋め込み画像から抽出したコード情報信号を使って、コード情報を正確に保存することができる。
【０１３５】
また、請求項１４にかかる発明によれば、カラー画像信号中で所定の特徴を有する領域画素の場合、第１の選択手段によって変倍手段による変倍処理後も埋め込まれているコード情報を保持するように選択処理し、カラー画像信号中で所定の特徴を有しない領域画素の場合、第２の選択手段によって変倍手段による変倍処理でコード情報を有する画素に変換されないように選択処理するので、コード情報埋め込み部のみならず、コード情報を埋め込んでいない領域に対してもコード抽出性を考慮した変倍処理を行うことが可能となり、変倍後のコード抽出が更に高精度に実現できる。
【０１３６】
また、請求項１５にかかる発明によれば、変倍ステップによってカラー画像信号に対して変倍処理を行い、その変倍ステップは、変倍処理後のカラー画像信号に所定の色情報を保持させるようにしたので、変倍処理後に色判定を行う場合でも高精度な色判定を実現することができる。
【０１３７】
また、請求項１６にかかる発明によれば、変倍ステップによって変倍処理後に保持させる所定の色情報として、複数色成分信号の比を保持するようにしたので、変倍処理後に、例えばＲＧＢ比などが保存されることから、特に無彩色の色情報の保存効果を高くすることができる。
【０１３８】
また、請求項１７にかかる発明によれば、変倍ステップは、複数色成分信号で表されたカラー画像信号のうち、少なくとも１信号に対して変倍処理を行う第１の変倍ステップと、その第１の変倍ステップで変倍処理されなかった少なくとも１信号に対して変倍処理を行う第２の変倍ステップとを含み、第２の変倍ステップは、変倍前の画像信号および第１の変倍ステップによる変倍後の画像信号を参照して変倍処理を行うようにしたので、変倍処理後に、例えばＲＧＢ比などが保存され、特に無彩色の色情報の保存効果が高まると共に、色判定を行う場合でも高精度な色判定が可能となる。
【０１３９】
また、請求項１８にかかる発明によれば、変倍ステップによって変倍処理後に保持させる所定の色情報として、少なくとも色差情報を含んでいるので、変倍処理後も色差情報が保存され、色空間全体において均等に色情報を保存することができる。
【０１４０】
また、請求項１９にかかる発明によれば、変倍ステップは、輝度信号と色差信号とで表されたカラー画像信号に対して変倍処理を行うもので、輝度信号に対して変倍処理を行う輝度信号変倍ステップと、色差信号に対して変倍処理を行う色差信号変倍ステップとを含み、輝度信号変倍ステップと色差信号変倍ステップとで変倍処理を異ならせたので、変倍処理後も色差情報を保存して、無彩色のみならず全ての色に対して色情報が保持され、無彩色判定や有彩色判定以外の特定色判定に対しても有効になると共に、輝度信号に対するモアレの発生を防止することができる。
【０１４１】
また、請求項２０にかかる発明によれば、色差信号変倍ステップは、変倍処理時における参照画素領域を輝度信号変倍ステップのときよりも狭くしたので、遠くの画素値の影響を受けずに色情報を保持することができ、変倍後もＲＧＢ比や色差として表現される色情報を保持することが可能となって、変倍処理後に高精度に色判定を行うことができる。
【０１４２】
また、請求項２１にかかる発明によれば、輝度信号変倍ステップと色差信号変倍ステップのいずれも周辺画素値に重みパラメータを加重して変倍処理を行うもので、輝度信号変倍ステップと色差信号変倍ステップとで重みパラメータが異なるようにしたので、参照画素領域が同じであってもパラメータを調整することにより、変倍処理後も色差情報が保存され、無彩色のみならず全ての色に対して色情報が保持されて、無彩色判定や有彩色判定以外の特定色判定が有効になると共に、輝度信号に対するモアレの発生を防止することができる。
【０１４３】
また、請求項２２にかかる発明によれば、変倍ステップは、２次元の変倍処理を行い、画像の縦方向と横方向（スキャナの主走査方向と副走査方向）で変倍処理を異ならせ、各方向の色ずれ量の違いやＭＴＦの違いを反映させるようにしたので、縦横同等の色情報を保存することができる。
【０１４４】
また、請求項２３にかかる発明によれば、画像の特徴を表すコード情報が埋め込まれたカラー画像信号に対して変倍処理を行う変倍ステップを含み、その変倍ステップによる変倍処理後もコード情報を保持させるようにしたので、変倍処理後にコード情報を抽出する際に、高精度なコード情報の抽出を実現することができる。
【０１４５】
また、請求項２４にかかる発明によれば、コード情報が所定の色成分を有する色情報としてカラー画像信号に埋め込まれているので、そのコード情報を用いた画像処理を高精度に実施することができる。
【０１４６】
また、請求項２５にかかる発明によれば、コード情報がカラー画像信号の複数色成分のうち少なくとも１信号が画像の特徴を表すコード信号用として割り当てられ、埋め込まれているので、そのコード情報を用いた画像処理を高精度に実施することができる。
【０１４７】
また、請求項２６にかかる発明によれば、コード情報を認識するコード情報認識ステップをさらに含み、そのコード情報認識ステップによる認識結果に応じて変倍ステップにおける変倍処理を制御するようにしたので、コード情報を正確に保存することができる。
【０１４８】
また、請求項２７にかかる発明によれば、カラー画像信号中の所定の特徴を有する領域の判定を行う像域分離ステップと、像域分離ステップにより所定の特徴を有すると判定された領域に対してコード情報を埋め込むコード情報埋め込みステップとを含み、像域分離ステップの像域分離結果に応じて変倍ステップにおける変倍処理を制御するようにしたので、コード埋め込みに使用した画像の所定の特徴を表す識別信号やコード埋め込み画像から抽出したコード情報信号を使って、コード情報を正確に保存することができる。
【０１４９】
また、請求項２８にかかる発明によれば、カラー画像信号中で所定の特徴を有する領域画素の場合、第１の選択ステップにより変倍ステップの変倍処理後も埋め込まれたコード情報を保持するように選択処理し、カラー画像信号中で所定の特徴を有しない領域画素の場合、第２の選択ステップにより変倍ステップの変倍処理でコード情報を有する画素に変換されないように選択処理するので、コード情報埋め込み部のみならず、コード情報を埋め込んでいない領域に対してもコード抽出性を考慮した変倍処理を行うことが可能となり、変倍後のコード抽出が更に高精度に実現できる。
【図面の簡単な説明】
【図１】本実施の形態１にかかるカラー画像処理装置の概略構成を示すブロック図である。
【図２】図１の変倍部における原画像の画素位置と内挿位置との関係を説明する図である。
【図３】図１の変倍部の一構成例を示すブロック図である。
【図４】実施の形態２における変倍部の構成例を示すブロック図である。
【図５】実施の形態３における変倍部の構成例を示すブロック図である。
【図６】図５の各変倍部の主走査方向変倍部と副走査方向変倍部で使用するパラメータをそれぞれ別に設定するパラメータ設定部を示した図である。
【図７】本実施の形態４のカラー画像処理装置においてＲＧＢカラー画像にコード情報の埋め込みを行う構成部の説明図である。
【図８】図７でコード情報が埋め込まれた画像の変倍処理を行う構成部の説明図である。
【図９】本実施の形態５に係るカラー画像処理装置の構成を説明するブロック図である。
【図１０】本実施の形態５に係るカラー画像処理装置の別の構成を説明するブロック図である。
【図１１】本実施の形態５におけるさらに別の一部構成例を示すブロック図である。
【図１２】画像を変倍処理する際に画像の黒文字エッジ部で発生する色ずれ量を示した線図であり、（ａ）はスキャナ入力値と画素位置との関係を示す図、（ｂ）は拡大後データと画素位置との関係を示す比較例の図、（ｃ）は拡大後データと画素位置との関係を示す本発明の図である。
【図１３】無彩色情報として黒文字を表すコード情報を画像中に埋め込んで縮小変倍を実施した場合の線図であり、（ａ）はスキャナ入力値と画素位置との関係を示す図、（ｂ）は縮小後データと画素位置との関係を示す比較例の図、（ｃ）は縮小後データと画素位置との関係を示す本発明の図である。
【符号の説明】
１０  カラー画像処理装置
１１  変倍部
１２  黒文字判定部
１３  メモリ蓄積部
１４  外部Ｉ／Ｆ
１５  色補正／ＵＣＲ
１６  変倍率設定部
３０  第１の変倍部
３１  第２の変倍部
３１１  ＲＧ比算出部
３１２  乗算器
３２  第２の変倍部
３２１  ＢＧ比算出部
３２２  乗算器
４１  ＲＧＢ→ＹＩＱ変換部
４２  第１の変倍部
４３  第２の変倍部
５１，５２，５３  主走査方向変倍部
５４，５５，５６  副走査方向変倍部
６１  主走査用パラメータ設定部
６２  副走査用パラメータ設定部
７１  黒文字判定部
７２  コード埋め込み部
７３  ヘッダー書き込み部
７４  メモリ蓄積部
７５  変倍率設定部
７６  外部Ｉ／Ｆ
８１  ヘッダー読み出し部
８２  変倍部
８３  コード抽出部
８４  色補正／ＵＣＲ部
９１  黒文字判定部
９２  コード埋め込み部
９３  変倍部
９４  メモリ蓄積部
９５  コード抽出部
９６  色補正／ＵＣＲ部
９７  変倍率設定部
９８  外部Ｉ／Ｆ
１０１  黒文字判定部
１０２  コード埋め込み部
１０３  コード抽出部
１０４  変倍部
１１１  黒文字コード化部
１１２  スルー部
１１３  コンボリューション変倍部
１１４  色判定部
１１５  第２セレクタ
１１６  第１セレクタ
【図１】
2004253874.tif 000004
【図２】
2004253874.tif 000005
【図３】
2004253874.tif 000006
【図４】
2004253874.tif 000007
【図５】
2004253874.tif 000008
【図６】
2004253874.tif 000009
【図７】
2004253874.tif 000010
【図８】
2004253874.tif 000011
【図９】
2004253874.tif 000012
【図１０】
2004253874.tif 000013
【図１１】
2004253874.tif 000014
【図１２】
2004253874.tif 000015
【図１３】
2004253874.tif 000016